(57)【要約】【課題】金属板片を設けることなくカードの所定の装着位置への装着を検出できるカード用コネクタ装置の提供。【解決手段】第１カード１、第２カード５が所定の装着位置に装着されたことを検出する第１スイッチ１７、及び第１カード１、第２カード５への書き込みを禁止を検出する第２スイッチ１８が、それぞれハウジングに設けた接点部３５，３６から成る固定接点、及び接点部３７，３８から成る固定接点と、第１カード１、第２カード５の所定の装着位置への移動に伴って動作する可動接点とを含むとともに、それぞれの可動接点が捻りコイルばね４３，５３から成る構成にしてある。【選択図】      図８
2004185822.tif 000002
【特許請求の範囲】
【請求項１】
カードが所定の装着位置に装着されたことを検出するスイッチが、ハウジングに設けた固定接点と、上記カードの上記所定の装着位置への移動に伴って動作する可動接点とを含むとともに、上記可動接点が捻りコイルばねから成ることを特徴とするカード用コネクタ装置。
【請求項２】
上記請求項１記載の発明において、
上記固定接点が、所定間隔で対向して配置される接点部を含み、上記カードの上記所定の装着位置への移動に伴って上記捻りコイルばねの両端部が拡開して上記接点部間を導通させることを特徴とするカード用コネクタ装置。
【請求項３】
上記請求項２記載の発明において、
上記捻りコイルばねを保持し、上記カードが係合可能な樹脂製のアクチュエータ部材を備え、上記カードの移動による上記アクチュエータ部材の作動に伴って、上記捻りコイルばねが拡開することを特徴とするカード用コネクタ装置。
【請求項４】
上記請求項３記載の発明において、
上記アクチュエータ部材を上下方向に回動可能に支持する支持手段を備えるとともに、上記アクチュエータ部材が、上記カードによって押圧される斜面部を有することを特徴とするカード用コネクタ装置。
【請求項５】
カードへの書き込み禁止を検出するスイッチが、ハウジングに設けた固定接点と、上記カードの上記所定の装着位置への移動に伴って動作する可動接点とを含むとともに、上記可動接点が捻りコイルばねから成ることを特徴とするカード用コネクタ装置。
【請求項６】
上記請求項５記載の発明において、
上記カードが所定の装着位置に装着されたことを検出する別のスイッチを備え、この別のスイッチが、ハウジングに設けた別の固定接点と、上記カードの上記所定の装着位置への移動に伴って動作する別の可動接点とを含むとともに、上記別の可動接点が別の捻りコイルばねから成ることを特徴とするカード用コネクタ装置。
【請求項７】
上記請求項６記載の発明において、
上記カードの書き込み禁止を検出するスイッチと、上記別のスイッチとを、カード挿抜方向に沿って一直線上に配置するとともに、上記カードの書き込み禁止を検出するスイッチをカード挿入口に近くなる側に位置させ、上記別のスイッチを上記カード挿入口から遠くなる側に位置させたことを特徴とするカード用コネクタ装置。
【発明の詳細な説明】
【０００１】
【発明の属する技術分野】
本発明は、カードが所定の装着位置に装着されたことを検出する第１スイッチ、及びカードへの書き込み禁止を検出する第２スイッチを含むスイッチ機構を備えたカード用コネクタ装置に関する。
【０００２】
【従来の技術】
この種の従来技術として、カード挿入部の外側に位置する奥側位置に、折り返し型の接触ばね片を備え、この接触ばね片によってカード認識スイッチ、すなわちカードが所定の装着位置に装着されたことを検出する第１スイッチを構成させたものがある。また、この従来技術は、カード挿入部の側方に比較的長尺の金属板片から成る接触ばね片を備え、この接触ばね片によってライトプロテクト検出スイッチ、すなわちカードへの書き込み禁止を検出する第２スイッチを構成させてある（例えば、特許文献１参照。）。
【０００３】
上述した技術の他にも、従来、カードの所定の装着位置への装着を検出する第１スイッチを、第２スイッチと同様に比較的長尺の金属板片から成るものによって構成し、これらの第１スイッチ、第２スイッチを、カード挿抜方向に沿って一直線上にカード挿入部の側方に配置したものがある。
【０００４】
【特許文献１】
特開２００１−１３５３８３（第３−５頁、図５−９）
【０００５】
【発明が解決しようとする課題】
上述した公報に記載の技術は、所望のばね性を確保するために長い寸法に設定しなければならない第２スイッチをカード挿入口の側方に配置してあり、第１スイッチをカード挿入部の外側に位置する奥側位置に配置してある。このことから装置の奥行き寸法が長くなりがちであり、装置の小型化の実現が困難であった。
【０００６】
なお、この公報に記載の技術は、第２スイッチの先端部にカードと係合する突起部を設ける必要があること、第２スイッチの可動領域を設定する必要があること、さらに、第２スイッチの末端部側はハウジングへの取り付け等を考慮して複雑な形状に形成されやすいことから、カード挿抜方向に直交する装置の幅方向の寸法も長くなりがちであり、この観点からも装置の小型化の実現が困難であった。
【０００７】
また、上述した第１スイッチ、第２スイッチをカード挿入部の側方の同一直線上に配置した従来技術では、上述した公報に記載の技術に比べて、さらに装置の奥行き寸法が長くなり、装置の小型化を実現することができない。なお、上述と同様の理由により、装置の幅方向の寸法も長くなりがちであり、この点でも装置の小型化は困難であった。
【０００８】
また、上述した金属板片を第１スイッチ、第２スイッチとして用いるいずれの従来技術も、製作時に平板状のフープ材の打ち抜き、切断等の煩雑な処理を要し、このために製作費が高くなる問題もある。
【０００９】
本発明は、上述した従来技術における実状からなされたもので、その第１の目的は、金属板片を設けることなくカードの所定の装着位置への装着を検出することができるカード用コネクタ装置を提供することにある。
【００１０】
また第２の目的は、金属板片を設けることなくカードへの書き込み禁止を検出することができるカード用コネクタ装置を提供することにある。
【００１１】
【課題を解決するための手段】
上記第１の目的を達成するために、本発明は、カードが所定の装着位置に装着されたことを検出するスイッチが、ハウジングに設けた固定接点と、上記カードの上記所定の装着位置への移動に伴って動作する可動接点とを含むとともに、上記可動接点が捻りコイルばねから成ることを特徴としている。
【００１２】
このように構成した本発明は、カードが所定の装着位置へ移動するに伴って捻りコイルばねが変形を始め、カードが所定の装着位置に至ったとき、上述の捻りコイルばねの変形を介してこの捻りコイルばねと固定接点とが導通し、カードが所定の装着位置に装着されたことが検出される。すなわち、金属板片を設けることなく、捻りコイルばねの変形を介してカードの所定の装着位置への装着を検出できる。上述した可動接点を構成する捻りコイルばねのばね力の設定は、線径、巻数等を考慮すればよく、したがって、本発明の捻りコイルばねは、上述のような比較的長尺となる金属板片に比べて全長を短く設定することができる。また、本発明の捻りコイルばねは、少ない巻数で所望のばね力が得られることから幅寸法も、可動領域等を含めて幅寸法が大きくなりやすい金属板片の場合に比べて小さく設定することができる。
【００１３】
また本発明は、上記発明において、上記固定接点が、所定間隔で対向して配置される接点部を含み、上記カードの上記所定の装着位置への移動に伴って上記捻りコイルばねの両端部が拡開して上記接点部間を導通させることを特徴としている。
【００１４】
このように構成した本発明は、カードが所定の装着位置に至ったとき、拡開された捻りコイルばねの両端部が固定接点の接点部間に導通し、これによってカードが所定の装着位置に装着されたことを示す信号が出力される。
【００１５】
また本発明は、上記発明において、上記捻りコイルばねを保持し、上記カードが係合可能な樹脂製のアクチュエータ部材を備え、上記カードの移動による上記アクチュエータ部材の作動に伴って、上記捻りコイルばねが拡開することを特徴としている。
【００１６】
このように構成した本発明は、カードが所定の装着位置に至ったとき、カードの移動によって作動するアクチュエータ部材によって拡開された捻りコイルばねの両端部が接点部間に導通する。
【００１７】
また本発明は、上記発明において、上記アクチュエータ部材を上下方向に回動可能に支持する支持手段を備えるとともに、上記アクチュエータ部材が、上記カードによって押圧される斜面部を有することを特徴としている。
【００１８】
このように構成した本発明は、カードが所定の装着位置へ移動するに伴ってアクチュエータ部材の斜面部がカードによって押圧され、これによりアクチュエータ部材が回動して捻りコイルばねの両端部が拡開され、これらの両端部が固定接点の接点部間に導通する。すなわち、カードと樹脂製のアクチュエータ部材との接触により捻りコイルばねを拡開させることができる。
【００１９】
また上記第２の目的を達成するために、本発明は、カードへの書き込み禁止を検出するスイッチが、ハウジングに設けた固定接点と、上記カードの上記所定の装着位置への移動に伴って動作する可動接点とを含むとともに、上記可動接点が捻りコイルばねから成ることを特徴としている。
【００２０】
このように構成した本発明は、カードに対して書き込み禁止処理がなされているときには、このカードの移動に伴って捻りコイルばねが変形し、この変形により捻りコイルと固定接点とが導通し、カードへの書き込み禁止が検出される。すなわち、金属板片を設けることなく、捻りコイルばねの変形を介して、カードへの書き込み禁止を検出できる。上述した可動接点を構成する捻りコイルばねのばね力の設定は、線径、巻数等を考慮すればよく、したがって、本発明の捻りコイルばねは、上述のような比較的長尺となる金属板片に比べて全長を短く設定することができる。また、本発明の捻りコイルばねは、少ない巻数で所望のばね力が得られることから幅寸法も、可動領域等を含めて幅寸法が大きくなりやすい金属板片の場合に比べて小さく設定することができる。
【００２１】
また本発明は、上記発明において、上記カードが所定の装着位置に装着されたことを検出する別のスイッチを備え、この別のスイッチが、ハウジングに設けた別の固定接点と、上記カードの上記所定の装着位置への移動に伴って動作する別の可動接点とを含むとともに、上記別の可動接点が別の捻りコイルばねから成ることを特徴としている。
【００２２】
このように構成した本発明は、上記のようにしてカードへの書き込み禁止を検出することができることに加え、カードの所定の装着位置への移動に伴って別の捻りコイルばねが変形する。カードが所定の装着位置に至ったとき、上述の別の捻りコイルばねの変形により、この別の捻りコイルばねと別の固定接点とが導通し、カードが所定の装着位置に装着されたことが検出される。すなわち、金属板片を設けることなく、別の捻りコイルばねの変形を介してカードの所定の装着位置への装着を検出できる。
【００２３】
また本発明は、上記発明において、上記カードの書き込み禁止を検出するスイッチと、上記別のスイッチとを、カード挿抜方向に沿って一直線上に配置するとともに、上記カードの書き込み禁止を検出するスイッチをカード挿入口に近くなる側に位置させ、上記別のスイッチを上記カード挿入口から遠くなる側に位置させたことを特徴としている。
【００２４】
このように構成した本発明は、スイッチ機構をカード挿抜方向に沿ってコンパクトな形状に配置できる。
【００２５】
【発明の実施の形態】
以下，本発明のカード用コネクタ装置の実施形態を図に基づいて説明する。
【００２６】
［基本構成］
図１は本発明のカード用コネクタ装置の一実施形態の基本構成を示す図である。
【００２７】
はじめに、本実施形態に使用可能な２種のカードについて説明する。これらのカードは共に情報記憶機能を有する。図１に示すように第１カード１には、例えば右側縁に凹部２が形成されている。また、前端部の右隅部には斜めに切り欠かれた切り欠き３を備えている。さらに、左側縁には、この第１カード１に対する書き込みを禁止するプロテクトボタン４を備えている。同図１は、このプロテクトボタン４が書き込み禁止側に操作された状態を示している。このようにプロテクトボタン４が書き込み禁止側に操作されると、第１カード１に対する書き込みが禁止される。また、プロテクトボタン４が書き込み禁止側に操作されないと、第１カード１に対する書き込みが可能となる。
【００２８】
本実施形態は、上述した第１カード１の他に、側縁に凹部が形成されていない後述の第２カード５が使用可能である。この第２カード５も、第１カード１の切り欠き３と同様の切り欠き６を備えている。また、プロテクトボタン４と同様のプロテクトボタンを備えている。
【００２９】
これらの第１カード１と第２カード５の幅寸法、すなわちカード挿抜方向と直交する方向の寸法は、ほぼ同等に設定されている。
【００３０】
本実施形態のカード用コネクタ装置の手前側部分には、同図１に示すように、第１カード１、第２カード５が挿入されるカード挿入口１０を形成してある。装置奥側には、第１カード１、第２カード５の裏面に形成される接続部材に接触可能で、外部信号系統に接続される複数の端子部材１１を備えている。
【００３１】
同図１に示すように、例えば装置の右側端部には、第１カード１、第２カード５を排出方向へ押し出すスライダ１２と、このスライダ１２を排出方向へ付勢する付勢部材１３とを設けてある。スライダ１２の前端部側には、第１カード１の切り欠き３、第２カード５の切り欠き６に係合する傾斜部２０を設けてある。
【００３２】
また、一端がスライダ１２に片持ち支持され、他端が自由端部３２を形成するとともに、第１カード１の凹部２に係合し、この第１カード１を保持する突出部２７を有する係合弾性部材１５を備えている。さらに後述するように、付勢部材１５の付勢力に抗して、第１カード１、第２カード５に対する信号の送受信が可能な位置である所定の装着位置にスライダ１２をロックする後述のロック機構１４を備えている。
【００３３】
装置の左側端部には、後述するスイッチ機構１６を備えている。このスイッチ機構１６は、第１カード１、第２カード５が所定の装着位置に装着されたことを検出する第１スイッチ１７と、第１カード１、第２カード５に対する書き込み禁止を検出する第２スイッチ１８とを含んでいる。例えば、第１スイッチ１７と第２スイッチ１８とをカード挿抜方向に、すなわち同図１の前後方向に沿って一直線上に配置してある。また、カードに対する書き込み禁止を検出する第２スイッチ１８をカード挿入口１０に近くなる側に位置させ、第１スイッチ１７をカード挿入口１０から遠くなる側に位置させてある。
【００３４】
［ロック機構］
図２〜５は本実施形態に備えられる係合弾性部材及びロック機構部分を示す図である。
【００３５】
図２は本実施形態に、側縁に凹部２が形成された第１カード１が差し込まれた挿入時の状態を示す図である。図３は図２に示す状態からさらに第１カード１が押し込まれ所定の装着位置に保持された状態を示す図で、（ａ）図は要部平面図、（ｂ）図は（ａ）図のＡ−Ａ矢視に相当する側面図である。
【００３６】
図４は本実施形態に、側縁に凹部が形成されていない第２カード５が差し込まれた挿入時の状態を示す図である。図５は図４に示す状態からさらに第２カード５が押し込まれ所定の装着位置に保持された状態を示す図で、（ａ）図は図３の（ａ）図に対応する要部平面図、（ｂ）図は図３の（ｂ）図に対応する側面図である。
【００３７】
これらの図２〜５に示すように、上述したロック機構１４は、一端がスライダ１２に揺動可能に設けられ、他端にピン２１を有する摺動部材２２と、この摺動部材２２のピン２１が案内されるハート型カム溝２３とを含んでいる。
【００３８】
ハート型カム溝２３は、往路２４と、復路２５と、これらの往路２４と復路２５の境界部を形成するロック部２６とを有する。
【００３９】
［規制部・規制解除手段］
本実施形態は、第１カード１が所定の装着位置に装着されている状態で、係合弾性部材１５の第１カード１の凹部２からの離脱を規制する規制部を備えている。この規制部は、例えば図３の（ａ）（ｂ）図に示すように、ハウジングに設けられ、第１カード１が所定の装着位置に保持されている状態で、係合弾性部材１５の自由端部３２の移動を規制する壁部３０から成っている。
【００４０】
また本実施形態は、側縁に凹部が形成されていない第２カード５が挿入された際に、上述した規制部、すなわち壁部３０による係合弾性部材１５に対する規制を解除する規制解除手段を備えている。この規制解除手段は、第２カード５が挿入された際、係合弾性部材１５の自由端部３２の壁部３０の外側方向への移動を許容させる許容手段から成っている。この許容手段は、例えば図５の（ａ）（ｂ）図に示すように、係合弾性部材１５に設けられ、係合弾性部材１５と壁部３０との衝合を生じさせない切り欠き３１から成っている。この切り欠き３１部分に壁部３０の下端部分が収容可能になっている。
【００４１】
［スイッチ機構］
図６は本実施形態に備えられるスイッチ機構を構成する固定接点部分を示す図で、（ａ）図は要部平面図、（ｂ）図は側面図である。
【００４２】
図７，８は本実施形態に備えられるスイッチ機構を示す図である。図７の（ａ）図は要部平面図、（ｂ）図は上述の第１スイッチ１７及び第２スイッチ１８の双方がオフとなっている状態を示す（ａ）図のＢ−Ｂ断面図である。図８の（ａ）図は第１スイッチ１７がオン、第２スイッチ１８がオフとなっている状態を示す図７の（ａ）図のＢ−Ｂ断面に対応する側断面図、（ｂ）図は第１スイッチ１７がオフ、第２スイッチ１８がオンとなっている状態を示す図７の（ａ）図のＣ−Ｃ断面に対応する側断面図である。
【００４３】
本実施形態は、第１カード１、第２カード５が所定の装着位置に装着されたことを検出する第１スイッチ１７が、ハウジングに設けた例えば図６の（ａ）（ｂ）に示す固定接点を有する。この固定接点は、所定間隔で対向して配置される接点部３５，３６を含んでいる。また、第１カード１、第２カード５への書き込み禁止を検出する第２スイッチ１８が、ハウジングに設けた図６の（ａ）（ｂ）図に示す固定接点を有する。この固定接点は、所定間隔で対応して配置される接点部３７，３８を含んでいる。
【００４４】
また本実施形態は、第１カード１、第２カード５が所定の装着位置に装着されたことを検出する上述の第１スイッチ１７が、第１カード１、第２カード５の所定の装着位置への移動に伴って動作する可動接点、すなわち図７等に示す捻りコイルばね４３を有する。この捻りコイルばね４３の一端４４は、例えば上述した接点部３６に常時接触するように配置してある。他端４５は、捻りコイルばね４３の非拡開時には接点部３５に対して非接触の状態に保たれ、第１カード１、第２カード５の所定の装着位置への移動に伴う捻りコイルばね４３の拡開時に、接点部３５に接触するように配置してある。
【００４５】
この第１スイッチ１７に含まれる捻りコイルばね４３は、同図７に示すように、樹脂製のアクチュエータ部材４０に保持される。すなわち、アクチュエータ部材４０は、捻りコイルばね４３を保持する軸４２を有する。また、図８の（ｂ）図に示すように、第１カード１、第２カード５によって押圧される斜面部４６を有し、ハウジングに取り付けられるピン４１によって支持されている。ピン４１は、アクチュエータ部材４０を上下方向に回動可能に支持する支持手段を構成している。
【００４６】
第１カード１、第２カード５に対する書き込み禁止を検出する第２スイッチ１８も上述と同様の可動接点を有する。すなわち、図７等に示す捻りコイルばね５３から成る可動接点を有する。この捻りコイルばね５３の一端５４は、例えば上述した接点部３８に常時接触するように配置してある。他端５５は、捻りコイルばね５３の非拡開時には接点部３７に対し非接触の状態に保たれ、第１カード１、第２カード５のプロテクトボタン４等が書き込み禁止側の状態にあるときの捻りコイルばね５３の拡開時に、接点部３７に接触するように配置させてある。
【００４７】
この第２スイッチ１８に含まれる捻りコイルばね５３も、図７の（ａ）（ｂ）図に示すように、樹脂製のアクチュエータ部材５０に保持されている。すなわち、アクチュエータ部材５０は、捻りコイルばね５３を保持する軸５２を有する。また、図８の（ｂ）図に示すように、第１カード１、第２カード５の書き込み禁止側に操作されたプロテクトボタン４等によって押圧される斜面部５６を有し、ハウジングに取り付けられるピン５１によって支持されている。ピン５１は、アクチュエータ部材５０を上下方向に回動可能に支持する支持手段を構成している。
【００４８】
このように構成した本実施形態の動作について以下に説明する。
【００４９】
［カード挿入前の待機状態］
第１カード１あるいは第２カード５が挿入される前にあっては、例えば図２に示すように、スライダ１２が付勢部材１３によってカード挿入口１０側に付勢されている。これに伴って、スライダ１２に連結される摺動部材２２のピン２１がハート型カム溝２３の待機位置に保持されている。
【００５０】
また、スイッチ機構１６に含まれるスイッチ、例えば第１カード１、第２カード５が所定の装着位置に装着されたことを検出する第１スイッチ１７は、図７の（ｂ）図に示すように、可動接点を構成する捻りコイルばね４３の一端４４が接点部３６に接触し、他端４５が接点部３５から離れている。したがって、接点部３５，３６間は非導通となっている。同様に、第１カード１、第２カード５に対する書き込み禁止を検出する第２スイッチ１８は、可動接点を構成する捻りコイルばね５３の一端５４が接点部３８に接触し、他端５５が接点部３７から離れている。したがって、接点部３７，３８間は非導通となっている。
【００５１】
［第１カード１の装着操作（書き込み可能時）］
今仮に、側縁に凹部２が形成されている第１カード１のプロテクトボタン４が書き込み禁止側に操作されていない状態に保たれ、第１カード１に対する書き込み操作が可能なものとする。
【００５２】
このようにデータの書き込みが可能な状態にある第１カード１が図２に示すようにカード挿入口１０から差し込まれ、さらに装置奥側に向かって押し込まれると、第１カード１の前端部の隅部に形成された切り欠き３がスライダ１２の傾斜部２０に係合し、このスライダ１２が付勢部材１３の付勢力に抗して装置奥側に向って第１カード１と共に移動する。このスライダ１２の移動によりロック機構１４を構成する摺動部材２２のピン２１が、ハート型カム溝２３の往路２４上を案内される。
【００５３】
なお、例えば第１カード１の挿入時に、図２に示すように、スライダ１２に片持ち支持された係合弾性部材１５の突出部２７が第１カード１の凹部２に係合し、第１カード１が係合弾性部材１５を介してスライダ１２に保持される。
【００５４】
第１カード１が所定の装着位置に近づくと、第１スイッチ１７の捻りコイルばね４３を保持するアクチュエータ部材４０の斜面部４６に、この第１カード１が係合する。この第１カード１に与えられる押し込み力により、アクチュエータ部材４０が捻りコイルばね４３のばね力に抗して、図８の（ａ）図に示すように、下方向に回動する。したがって、このアクチュエータ部材４０の回動に伴って捻りコイルばね４３の両端部が拡開し、この捻りコイルばね４３の一端４４が接点部３６に接触した状態に保持されるとともに、他端４５が接点部３５に接触する。
【００５５】
上述した第１カード１の押し込み操作によってスライダ１２が装置の最奥端までオーバストロークされた状態で第１カード１に対する押し込み力が解かれると付勢部材１３の付勢力によりスライダ１２がわずかながらカード挿入口１０方向に戻される。この間、スライダ１２と一体に移動する摺動部材２２のピン２１が、ハート型カム溝２３の往路２４からロック部２６へと移動し、このロック部２６で係止される。これにより、第１カード１は所定の装着位置に至り、スライダ１２がロックされる。
【００５６】
この状態においては、上述のように第１スイッチ１７の捻りコイルばね４３を介して接点部３５，３６間が導通し、オンとなる。すなわち、第１カード１が所定の装着位置に装着されたことを検出する信号が第１スイッチ１７から出力される。
【００５７】
所定の装着位置においては、第１カード１の裏面に設けられる図示しない接続部材と、図１に示す端子部材１１とが接触状態に保たれる。したがって、この第１カード１に対する書き込み操作を含めて信号の送受信が可能となる。
【００５８】
なお、このように第１カード１が所定の装着位置に保持されている間、第２スイッチ１８は図８の（ａ）図に示すようにオフ状態に保たれる。すなわち、第１カード１のプロテクトボタン４が今は書き込み禁止側に操作されていないので、第１カード１のプロテクトボタン４とアクチュエータ部材５０とが係合していない。したがって、アクチュエータ部材５０は上方位置すなわち待機位置に保持され、第２スイッチ１８の捻りコイルばね５３の他端５５は接点部３７から離れた状態に保たれる。
【００５９】
また、このように第１カード１が所定の装着位置に保持されている状態では、図３の（ａ）（ｂ）図に示すように、第１カード１の凹部２に係合している係合弾性部材１５の自由端部３２が、壁部３０に対向するように位置している。したがって、この係合弾性部材１５の動きは自由端部３２が壁部３０に当ることによって阻止される。すなわち、係合弾性部材１５が第１カード１の凹部２から離脱しないように、壁部３０によって規制された状態に保たれる。
【００６０】
［第１カード１の排出操作］
第１カード１の排出操作に際しては、この第１カード１を再び押す操作が実施される。すなわち、挿入時に１回第１カード１がプッシュされ、排出時に再び第１カード１がプッシュされるプッシュ・プッシュタイプが形成されている。
【００６１】
上述したように第１カード１が所定の装着位置に保持されている状態から、第１カード１を装置の最奥端まで押し込んで、再びオーバストロークさせると、ロック機構１４を構成する摺動部材２２のピン２１がハート型カム溝２３のロック部２６から外れ、復路２５へと移動する。これによりスライダ１２のロックが解除され、スライダ１２は付勢部材１３の付勢力によってカード挿入口１０方向へ移動する。このスライダ１２の移動により第１カード１は、図２に示す所定の排出位置まで押し出される。
【００６２】
この間、係合弾性部材１５の突出部２７は第１カード１の凹部２に係合した状態に保持される。また、スライダ１２の排出方向への移動に伴って、このスライダ１２に連結されている摺動部材２２のピン２１は、ハート型カム溝２３の復路２５を案内され、待機位置に戻される。
【００６３】
また、スライダ１２の移動に伴う第１カード１の移動によって、アクチュエータ部材４０の斜面部４６に与えられていた押圧力が除かれ、捻りコイルばね４３のばね力によってアクチュエータ部材４０は上方向に回動し、図７の（ｂ）図に示す待機位置に復帰する。したがって、捻りコイルばね４３の他端４５は接点部３５から離れ、第１スイッチ１７はオフ状態となる。
【００６４】
このようにして所定の排出位置まで戻された第１カード１は、カード挿入口１０から容易に抜き取ることができる。例えば、この抜き取り操作に伴って第１カード１の凹部２から係合弾性部材１５の突出部２７が離脱する。この際、係合弾性部材１５は第１カード１から離れる方向に変位するが、所定の排出位置にあっては、この係合弾性部材１５の変位を妨げるものは設けられていない。したがって、第１カード１を何ら支障なく抜き取ることができる。
【００６５】
［第１カード１の装着操作（書き込み禁止時）］
例えば、側縁に凹部２が形成されている上述の第１カード１のプロテクトボタン４が書き込み禁止側に操作され、第１カード１に対する書き込みが禁止された状態にあるものとする。
【００６６】
このような状態にある第１カード１の装着操作は、書き込み禁止の検出操作を除けば、上述した装着操作と同じである。したがって、以下においては書き込み禁止の検出操作についてだけ述べる。
【００６７】
プロテクトボタン４が書き込み禁止側に操作された第１カード１がカード挿入口１０から挿入され、装置奥側に押し込まれると、第１カード１のプロテクトボタン４が第２スイッチ１８に関連して設けられているアクチュエータ部材５０の斜面部５６に係合する。第１カード１に与えられる押し込み力により、この第１カード１のプロテクトボタン４を介して、アクチュエータ部材５０が捻りコイルばね５３のばね力に抗して、図８の（ｂ）図に示すように、下方向に回動する。
【００６８】
したがって、このアクチュエータ部材５０の回動に伴って捻りコイルばね５３の両端部が拡開し、図８の（ｂ）図に示すように、この捻りコイルばね５３の一端５４が接点部３８に接触した状態に保持されるとともに、他端５５が接点部３７に接触する。これにより接点部３７，３８間が導通し、オンとなる。すなわち、例えば第１カード１の所定の装着位置への装着完了前あるいは装着完了後の所定時期において、第１カード１への書き込み禁止を検出する信号が第２スイッチ１８から出力される。
【００６９】
また、第１カード１の排出時には、スライダ１２のカード挿入口１０方向への移動に伴う第１カード１の移動によって、アクチュエータ部材５０の斜面部５６に与えられていた押圧力が除かれ、捻りコイルばね５３のばね力によりアクチュエータ部材５０は上方向に回動し、図７の（ｂ）図に示す待機状態に復帰する。したがって、捻りコイルばね５３の他端５５は接点部３７から離れ、第２スイッチ１８はオフ状態となる。
【００７０】
［第２カード５の装着操作（書き込み可能時）］
今仮に、側縁に凹部が形成されていない第２カード５の図示しないプロテクトボタンが書き込み禁止側に操作されていない状態に保たれ、第２カード５に対する書き込み操作が可能なものとする。
【００７１】
このようにデータの書き込みが可能な状態にある第２カード５が図４に示すようにカード挿入口１０から差し込まれ、さらに装置奥側に向かって押し込まれると、第２カード５の前端部の隅部に形成された切り欠き６がスライダ１２の傾斜部２０に係合し、このスライダ１２が付勢部材１３の付勢力に抗して装置奥側に向って第２カード５と共に移動する。このスライダ１２の移動によりロック機構１４を構成する摺動部材２２のピン２１が、ハート型カム溝２３の往路２４上を案内される。
【００７２】
なお、第２カード５の挿入時に、図４に示すように、スライダ１２に片持ち支持された係合弾性部材１５の突出部２７が、凹部が形成されていない第２カード５の側縁３３に係合する。これによって係合弾性部材１５は、自身のばね力に抗して第２カード５から離れる方向に変位する。この変位により係合弾性部材１５に設けた切り込み３１が、壁部３０に対向する位置、すなわちカード挿抜方向に沿う同一直線上に壁部３０とともに位置するように移動する。
【００７３】
第２カード５が所定の装着位置に近づくと、係合弾性部材１５の切り込み３１が壁部３０の下側に位置する状態となる。したがって、係合弾性部材１５と壁部３０との衝合を生じることなくスライダ１２は装置の奥側位置に向って移動する。
【００７４】
また、第２カード５が所定の装着位置に近づくと、第１スイッチ１７の捻りコイルばね４３を保持するアクチュエータ部材４０の斜面部４６に、この第２カード５が係合する。この第２カード５に与えられる押し込み力により、前述したように、アクチュエータ部材４０が回動し、捻りコイルばね４３の両端部が拡開する。したがって、この捻りコイルばね４３の一端４４が接点部３６に接触した状態に保持されるとともに、他端４５が接点部３５に接触する。
【００７５】
上述した第２カード５の押し込み操作によってスライダ１２が装置の最奥端までオーバストロークされた状態で第２カード５に対する押し込み力が解かれると、前述したように、第２カード５は所定の装着位置に至り、スライダ１２がロックされる。
【００７６】
この状態においては、上述のように第１スイッチ１７の捻りコイルばね４３を介して接点部３５，３６間が導通し、オンとなる。すなわち、第２カード５が所定の装着位置に装着されたことを検出する信号が第１スイッチ１７から出力される。
【００７７】
所定の装着位置においては、第２カード５の裏面に設けられる図示しない接続部材と、図１に示す端子部材１１とが接触状態に保たれる。したがって、この第２カード５に対する書き込み操作を含めて信号の送受信が可能となる。
【００７８】
なお、このように第２カード５が所定の装着位置に保持されている間、第２スイッチ１８は前述したように、オフ状態に保たれる。
【００７９】
また、このように第２カード５が所定の装着位置に保持されている状態では、図５の（ａ）（ｂ）図に示すように、係合弾性部材１５の切り欠き３１に、壁部３０の下端部が収容された状態となる。したがって、この係合弾性部材１５の自由端部３２は、壁部３０の外側に逃がされた状態となる。すなわち、壁部３０による係合弾性部材１５に対する規制は解除された状態に保たれる。
【００８０】
［第２カード５の排出操作］
第２カード５の排出操作は、前述した第１カード１における排出操作と同様にしておこなわれる。
【００８１】
すなわち、第２カード５が所定の装着位置に保持されている状態から、再び第２カード５を装置の最奥端まで押し込むと、スライダ１２のロックが解除され、スライダ１２は付勢部材１３の付勢力によってカード挿入口１０方向へ移動する。このスライダ１２の移動により第２カード５は、図４に示す所定の排出位置まで押し出される。
【００８２】
この間、係合弾性部材１５の切り欠き３１部分が壁部３０の下側を通るようにして、スライダ１２の排出方向への移動と一体的にこの係合弾性部材１３が移動する。また、スライダ１２の移動に伴って、このスライダ１２に連結されている摺動部材２２のピン２１は、ハート型カム溝２３の復路２５を案内され、待機位置に戻される。
【００８３】
スライダ１２の移動に伴う第２カード５の移動によって、アクチュエータ部材４０の斜面部４６に与えられていた押圧力が除かれると、前述したように第１スイッチ１７はオフ状態となる。
【００８４】
このようにして所定の排出位置まで戻された第２カード５は、カード挿入口１０から容易に抜き取ることができる。
【００８５】
［第２カード５の装着操作（書き込み禁止時）］
例えば、側縁に凹部が形成されていない上述の第２カード５の図示しないプロテクトボタンが書き込み禁止側に操作され、第２カード５に対する書き込みが禁止された状態にあるものとする。
【００８６】
このような状態にある第２カード５の装着操作は、前述した書き込み禁止の処理がなされた第１カード１の装着操作のときと同じである。
【００８７】
すなわち、図示しないプロテクトボタンが書き込み禁止側に操作された第２カード５がカード挿入口１０から挿入され、装置奥側に押し込まれると、第２カード５のプロテクトボタンが第２スイッチ１８に関連して設けられているアクチュエータ部材５０の斜面部５６に係合する。第２カード５に与えられる押し込み力により、プロテクトボタンとの当接を介してアクチュエータ部材５０が図８の（ｂ）図に示すように、下方向に回動し、捻りコイルばね５３の両端部が拡開する。したがって、この捻りコイルばね５３の一端５４が接点部３８に接触した状態に保持されるとともに、他端５５が接点部３７に接触し、これにより接点部３７，３８間が導通し、オンとなる。
【００８８】
また、第２カード５の排出時には、スライダ１２のカード挿入口１０方向への移動に伴う第２カード５の移動によって、アクチュエータ部材５０の斜面部５６に与えられていた押圧力が除かれ、アクチュエータ部材５０は上方向に回動し、図７の（ｂ）図に示す待機状態に復帰する。したがって、第２スイッチ１８はオフ状態となる。
【００８９】
このように構成した本実施形態は、側縁に凹部２が形成されている第１カード１が所定の装着位置に保持されている状態では、規制部すなわち壁部３０によって係合弾性部材１５は動きに制約が与えられる。これにより、係合弾性部材１５の第１カード１の凹部２からの離脱が規制され、この所定の装着位置において第１カード１を強固に保持できる。
【００９０】
また、側縁３３に凹部２が形成されていない第２カード５が挿入されたときは、係合弾性部材１５に設けた規制解除手段すなわち切り欠き３１によって、壁部３０による係合弾性部材１５に対する規制が解除される。したがって、第２カード５の側縁３３に係合弾性部材１５が接触したときには、この第２カード５に与えられる押し込み力によって係合弾性部材１５が自身の弾性に抗して第２カード５から離れる方向に変位し、これによって係合弾性部材１５の塑性変形を防止できる。
【００９１】
このように、第１カード１が所定の装着位置に装着されたときには、この第１カード１が強固に保持され、第２カード５が挿入された際には係合弾性部材１５の塑性変形を防止できることから、装置に対する高い信頼性を確保できる。
【００９２】
また本実施形態は、規制部がハウジングに設けられる壁部３０から成り、規制解除手段が、係合弾性部材１５の自由端部３２の壁部３０の外側方向への移動を許容させる許容手段、すなわち係合弾性部材１５に形成した切り欠き３１から成っている。上述の壁部３０は、ハウジングの製作時に同時に製作でき、上述の切り欠き３１は、係合弾性部材１５の製作時に同時に製作できる。したがって、製作が容易で、部材数の増加を招くことがない。これらにより、製作費を抑えることができる。
【００９３】
また本実施形態は、第１カード１、第２カード５が所定の装着位置に至ったときに、スライダ１２を付勢部材１３の付勢力に抗してロックするロック機構を備えている。これにより所定の装着位置において第１カード１、第２カード５を安定して保持させることができ、この点で装置の信頼性の確保に貢献する。
【００９４】
また本実施形態は、上述のロック機構が、スライダ１２に揺動可能に設けられ、ピン２１を有する摺動部材２２と、この摺動部材２２のピン２１が案内されるハート型カム溝２３とを含んでいる。上述したピン２１を含む摺動部材２２と、ハート型カム溝２３は簡単な構造であるので製作が容易である。したがって製作費の抑制に貢献する。
【００９５】
また本実施形態は、第１カード１、第２カード５が所定の装着位置に装着されたことを検出する第１スイッチ１７、及び第１カード１、第２カード５に対する書き込み禁止を検出する第２スイッチ１８が、金属板片を設けることのない構造、すなわち捻りコイルばね４３，５３を有する構造にしてある。捻りコイルばね４３，５３のばね力の設定は、線径、巻数等を考慮すればよい。したがって、これらの捻りコイルばね４３，５３の全長は、図７の（ａ）図に例示するように、比較的長尺となる金属板片に比べて短い長さ寸法６０，６１に設定することができる。これにより装置の小型化を実現できる。
【００９６】
さらに、捻りコイルばね４３，５３が、少ない巻数で所定のばね力を得ることができ、すなわち、これらの捻りコイルばね４３，５３の幅寸法を小さく設定でき、また、捻りコイルばね４３，５３を拡開させるアクチュエータ部材４０，５０の斜面部４６，５６の幅寸法を小さく設定できる。これらのことから、第１スイッチ１７、第２スイッチ１８の幅寸法を比較的小さく設定することができ、これによっても装置の小型化を実現できる。
【００９７】
また、第１スイッチ１、第２スイッチ５を構成する捻りコイルばね４３，５３は、線材を所定回数だけ巻き回し、所定長さ寸法に切断する程度の簡単な作業で製作できることから、フープ材の加工処理によって製作する金属板片の場合に比べて製作費を安く抑えることができる。
【００９８】
また本実施形態は、捻りコイルばね４３，５３のうちの該当するものをそれぞれ保持し、第１カード１、第２カード５が係合可能な樹脂製のアクチュエータ部材４０，５０を備え、第１カード１、第２カード５の移動によるアクチュエータ部材４０，５０の作動に伴って、捻りコイルばね４３，５３のそれぞれが拡開する構成にしてある。すなわち、第１カード１、第２カード５を、金属に比べて柔軟な樹脂製のアクチュエータ部材４０，５０に接触させるようにしてあることから、第１スイッチ１７、第２スイッチ１８の操作に伴う第１カード１、第２カード５の損耗を抑えることができる。
【００９９】
また本実施形態は、第１カード１、第２カード５への書き込み禁止を検出する第２スイッチ１８と、第１カード１、第２カード５が所定の装着位置に装着されたことを検出する第１スイッチ１７とを、カード挿抜方向に沿って一直線上に配置してある。特に、第２スイッチ１８をカード挿入口１０に近くなる側に位置させ、第１スイッチ１７をカード挿入口１０から遠くなる側に位置させた構成にしてある。これにより、スイッチ機構１６をカード挿抜方向に沿ってコンパクトな形状に配置でき、装置の小型化に貢献する。
【０１００】
【発明の効果】
以上のように本発明は、カードが所定の装着位置に装着されたことを検出するスイッチが、上記カードの上記所定の装着位置への移動に伴って動作する可動接点を含み、この可動接点が捻りコイルばねから成る構成にしてある。したがって従来のような金属板片を設けることなくカードの所定の装着位置への装着を検出することができる。捻りコイルばねは、比較的長尺となる従来の金属板片に比べて寸法を短く設定することができる。これにより従来では困難であった装置の小型化を実現させることができる。
【０１０１】
また本発明は、カードの書き込み禁止を検出するスイッチが、カードの所定の装着位置への移動に伴って動作する可動接点を含み、この可動接点が捻りコイルばねから成る構成にしてある。したがって、従来のような金属板片を設けることなくカードの書き込み禁止を検出することができる。上述したように捻りコイルばねは金属板片に比べて寸法を短く設定することができる。これにより装置の小型化を実現させることができる。
【図面の簡単な説明】
【図１】本発明のカード用コネクタ装置の一実施形態の基本構成を示す平面図である。
【図２】本実施形態に備えられるカードを保持する係合弾性部材及びロック機構部分を示し、本実施形態に、側縁に凹部が形成された第１カードが差し込まれた挿入時の状態を示す図である。
【図３】本実施形態に備えられる係合弾性部材及びロック機構部分を示し、図２に示す状態からさらに第１カードが押し込まれ所定の装着位置に保持された状態を示す図で、（ａ）図は要部平面図、（ｂ）図は（ａ）図のＡ−Ａ矢視に相当する側面図である。
【図４】本実施形態に備えられる係合弾性部材及びロック機構部分を示し、本実施形態に、側縁に凹部が形成されていない第２カードが差し込まれた挿入時の状態を示す図である。
【図５】本実施形態に備えられる係合弾性部材及びロック機構部分を示し、図４に示す状態からさらに第２カードが押し込まれ所定の装着位置に保持された状態を示す図で、（ａ）図は図３の（ａ）図に対応する要部平面図、（ｂ）図は図３の（ｂ）図に対応する側面図である。
【図６】本実施形態に備えられるスイッチ機構を構成する固定接点部分を示す図で、（ａ）図は要部平面図、（ｂ）図は側面図である。
【図７】本実施形態に備えられるスイッチ機構を示す図で、（ａ）図は要部平面図、（ｂ）図はカードの装着完了を検出する第１スイッチ、及びカードへの書き込み禁止を検出する第２スイッチの双方がオフとなっている状態を示す（ａ）図のＢ−Ｂ断面図である。
【図８】本実施形態のスイッチ機構を示す図で、（ａ）図は第１スイッチがオン、第２スイッチがオフとなっている状態を示す図７の（ａ）図のＢ−Ｂ断面に対応する側断面図、（ｂ）は第１スイッチがオフ、第２スイッチがオンとなっている状態を示す図７の（ａ）図のＣ−Ｃ断面に対応する側断面図である。
【符号の説明】
１    第１カード
２    凹部
３    切り欠き
４    プロテクトボタン
５    第２カード
６    切り欠き
１０  カード挿入口
１１  端子部材
１２  スライダ
１３  付勢部材
１４  ロック機構
１５  係合弾性部材
１６  スイッチ機構
１７  第１スイッチ
１８  第２スイッチ
２０  傾斜部
２１  ピン
２２  摺動部材
２３  ハート型カム溝
２４  往路
２５  復路
２６  ロック部
２７  突出部
３０  壁部（規制部）
３１  切り欠き（許容手段）〔規制解除手段〕
３２  自由端部
３３  側縁
３５  接点部（固定接点）
３６  接点部（固定接点）
３７  接点部（固定接点）
３８  接点部（固定接点）
４０  アクチュエータ部材
４１  ピン（支持手段）
４２  軸
４３  捻りコイルばね（可動接点）
４４  一端
４５  他端
４６  斜面部
５０  アクチュエータ部材
５１  ピン（支持手段）
５２  軸
５３  捻りコイルばね（可動接点）
５４  一端
５５  他端
５６  斜面部
６０  長さ寸法
６１  長さ寸法
【図１】
2004185822.tif 000003
【図２】
2004185822.tif 000004
【図３】
2004185822.tif 000005
【図４】
2004185822.tif 000006
【図５】
2004185822.tif 000007
【図６】
2004185822.tif 000008
【図７】
2004185822.tif 000009
【図８】
2004185822.tif 000010